(57)【要約】【課題】シャワーキャップの着脱作業性を向上するとともに、それに伴う安全性を向上する。【解決手段】ノーズ部１３を有する外装体と、貯水タンク３１と、貯水タンク３１内の水を加熱する加熱手段（ヒータ３２）と、お湯をノーズ部１３に給水する供給手段（ポンプ３４）と、フィルタカップ５２と、シャワーキャップ４２と、を備えた飲料抽出装置において、ノーズ部１３の下部に、横方向に延びる第１スライドレール部２０を設けるとともに、第１スライドレール部２０の下部に、横方向に延びる第２スライドレール部２１を設け、第１スライドレール部２０にシャワーキャップ４２を横方向からスライドさせて装着するとともに、第２スライドレール部２１にフィルタカップ５２を横方向からスライドさせて装着する構成としている。【選択図】図１
2008113877.tif 000002
【特許請求の範囲】
【請求項１】
前面上部に前方に突出するノーズ部を有する外装体と、該外装体の後側に設けた貯水タンクと、該貯水タンク内の水を加熱する加熱手段と、該加熱手段によって加熱したお湯を前記ノーズ部に給水する供給手段と、該供給手段から注入されたお湯で内部に収容した飲料抽出原料から飲料を抽出する上端開口のフィルタカップと、該フィルタカップへの給水分布を均一にするシャワーキャップと、を備えた飲料抽出装置において、
前記ノーズ部の下部に、横方向に延びる第１スライドレール部を設けるとともに、該第１スライドレール部の下部に、横方向に延びる第２スライドレール部を設け、前記第１スライドレール部に前記シャワーキャップを横方向からスライドさせて装着するとともに、前記第２スライドレール部に前記フィルタカップを横方向からスライドさせて装着するようにしたことを特徴とする飲料抽出装置。
【請求項２】
前記第１スライドレール部と第２スライドレール部とは、同一の前後方向に延び、前側から着脱可能に装着するものであることを特徴とする請求項１に記載の飲料抽出装置。
【請求項３】
前記第１スライドレール部の幅と、第２スライドレール部の幅を異ならせたことを特徴とする請求項１または請求項２に記載の飲料抽出装置。
【請求項４】
前記シャワーキャップの幅を、前記第２スライドレール部の幅より小さくしたことを特徴とする請求項３に記載の飲料抽出装置。
【請求項５】
前記ノーズ部の下面および前記シャワーキャップの上面に、装着状態で互いに係合する係合部を設けたことを特徴とする請求項１乃至請求項４のいずれか１項に記載の飲料抽出装置。
【請求項６】
前記シャワーキャップを、前記フィルタカップの上端開口を閉塞可能な平面視形状としたことを特徴とする請求項１乃至請求項５のいずれか１項に記載の飲料抽出装置。
【請求項７】
前記フィルタカップに、前記シャワーキャップの前端を覆う被覆部を設けたことを特徴とする請求項１乃至請求項６のいずれか１項に記載の飲料抽出装置。
【請求項８】
前記ノーズ部において、前記供給手段の先端の注出口の周囲に、上向きに窪む凹部を設けたことを特徴とする請求項１乃至請求項７のいずれか１項に記載の飲料抽出装置。
【発明の詳細な説明】
【技術分野】
【０００１】
本発明は、コーヒーや紅茶などの抽出を行う飲料抽出装置に関するものである。
【背景技術】
【０００２】
コーヒメーカーなどの飲料抽出装置は、タンクに貯留した水を加熱手段によって加熱し、供給手段によって飲料抽出原料であるコーヒー粉を収容したフィルタカップにお湯を供給することにより、コーヒー粉からコーヒー液を抽出し、該コーヒー液を飲料容器に流出させるものである。
【０００３】
この飲料抽出装置に関連する先行技術文献情報としては次のものがある。
【０００４】
【特許文献１】特開２００３−１５３８０８号公報
【特許文献２】特開２００４−２１５７６３号公報
【０００５】
特許文献１では、外装体の前面上部に前方に突出するノーズ部を備え、該ノーズ部の下部に前記フィルタカップが着脱可能に配設されている。また、ノーズ部の下面には、前記フィルタカップに対する給水分布が均一になるように、シャワーキャップが配設されている。
【０００６】
前記シャワーキャップは、給水によりフィルタカップ内の飲料が跳ね返って付着したり、水道水に含まれたカルシウム成分が付着するため、定期的に清浄する必要がある。しかし、このシャワーキャップは、脱落しないように回転により装着する所謂バヨネット方式の取付構造をなすため、取り外し作業時の振動で、供給手段であるポンプからノーズ部までの吐出管の内面に付着した高温のお湯が手に付着する可能性がある。
【０００７】
これに対して、特許文献２では、垂直方向に延びる軸を中心として水平方向に回転可能な一対の回転体を設け、上側の回転体にシャワーキャップを着脱可能に配設するとともに、下側の回転体にフィルタカップを一体成形した構成としている。
【０００８】
この特許文献２のシャワーキャップは、回転体の回転により、お湯の給水位置から離れた位置に回動され、この状態で簡単に取り外すことができるうえ、安全性を確保できる。しかしながら、その取り外し作業は、回転体の回動後に、手をシャワーキャップに持ち替える必要があるため、２アクションの動作が必要である。
【発明の開示】
【発明が解決しようとする課題】
【０００９】
本発明は、従来の問題に鑑みてなされたもので、シャワーキャップの着脱作業性を向上するとともに、それに伴う安全性を向上できる飲料抽出装置を提供することを課題とするものである。
【課題を解決するための手段】
【００１０】
前記課題を解決するため、本発明の飲料抽出装置は、前面上部に前方に突出するノーズ部を有する外装体と、該外装体の後側に設けた貯水タンクと、該貯水タンク内の水を加熱する加熱手段と、該加熱手段によって加熱したお湯を前記ノーズ部に給水する供給手段と、該供給手段から注入されたお湯で内部に収容した飲料抽出原料から飲料を抽出する上端開口のフィルタカップと、該フィルタカップへの給水分布を均一にするシャワーキャップと、を備えた飲料抽出装置において、前記ノーズ部の下部に、横方向に延びる第１スライドレール部を設けるとともに、該第１スライドレール部の下部に、横方向に延びる第２スライドレール部を設け、前記第１スライドレール部に前記シャワーキャップを横方向からスライドさせて装着するとともに、前記第２スライドレール部に前記フィルタカップを横方向からスライドさせて装着する構成としている。
【００１１】
本発明の飲料抽出装置では、スライドレール部に対してシャワーキャップおよびフィルタカップを横方向からスライドさせて取り外しおよび装着するため、ワンアクションで簡単かつ確実に着脱作業を行うことができる。そのうえ、お湯の給水位置に手を挿入する必要がないため、安全性を確保できる。
【００１２】
具体的には、この飲料抽出装置は、前記第１スライドレール部と第２スライドレール部とは、同一の前後方向に延び、前側から着脱可能に装着することが好ましい。
【００１３】
また、前記第１スライドレール部の幅と、第２スライドレール部の幅を異ならせることが好ましい。
この場合、前記シャワーキャップの幅を、前記第２スライドレール部の幅より小さくすることが好ましい。
このようにすれば、シャワーキャップおよびフィルタカップの誤装着を防止できる。
【００１４】
さらに、前記ノーズ部の下面および前記シャワーキャップの上面に、装着状態で互いに係合する係合部を設けることが好ましい。このようにすれば、シャワーキャップの装着状態を作業者が容易に認識できるとともに、装着状態を確実に維持できる。しかも、取り外しの際には、係合抵抗によりシャワーキャップに振動が加わるため、該シャワーキャップに付着したお湯を滴下させ、作業者に付着することを防止できる。
【００１５】
さらにまた、前記シャワーキャップを、前記フィルタカップの上端開口を閉塞可能な平面視形状とすることが好ましい。このようにすれば、フィルタカップに対して均一な給水が可能になる。しかも、フィルタカップ内の温度降下を抑制できるうえ、下部のフィルタカップに注出されたお湯の湯気がノーズ部の下面に付着することを防止できる。
【００１６】
そして、前記フィルタカップに、前記シャワーキャップの前端を覆う被覆部を設けることが好ましい。このようにすれば、シャワーキャップを不完全な状態で装着した場合に、該シャワーキャップの上面を伝ってお湯が前面から漏出することを防止できるうえ、製品の外観を向上できる。また、フィルタカップの装着により、シャワーキャップを正規位置に装着することもできる。
【００１７】
また、前記ノーズ部において、前記供給手段の先端の注出口の周囲に、上向きに窪む凹部を設けることが好ましい。このようにすれば、シャワーキャップとノーズ部との間からのお湯の漏出を更に確実に防止できる。
【発明の効果】
【００１８】
本発明の飲料抽出装置では、シャワーキャップおよびフィルタカップを横方向からスライドさせて取り外しおよび装着するため、ワンアクションで簡単かつ確実に着脱作業を行うことができる。しかも、お湯の給水位置に手を挿入する必要がないため、安全性を十分に確保できる。
【発明を実施するための最良の形態】
【００１９】
以下、本発明の実施の形態を図面に従って説明する。
【００２０】
図１は本発明の実施形態に係る飲料抽出装置を示す。この飲料抽出装置は、大略、タンク３１、加熱手段および供給手段を有する本体１０の前面に、飲料注出部材と保温機構とを設けたものである。
【００２１】
前記本体１０は、筒状をなす金属製の胴体１１と、該胴体１１の上端に配設した肩体１２と、胴体１１の下端に配設した底体１５とを有する外装体を備えている。この本体１０は、上部に位置する肩体１２に、前面から前方に突出するようにノーズ部１３が設けられ、このノーズ部１３の下端がレール部材１４により覆われている。また、下部に位置する底体１５に、前面から前方に突出するように台座部２６が設けられている。そして、筒状をなす胴体１１は、上側がレール部材１４にネジ止めにより固定され、下側が底体１５にネジ止めにより固定されている。また、肩体１２は、ノーズ部１３の背部が開口され、この開口が回動可能に取り付けられた蓋体１６により閉塞されている。
【００２２】
そのうち、前記ノーズ部１３は、その内部に後述する吐出管４０が配管されるとともに、操作基板６２および制御基板８５が配設されている。そして、このノーズ部１３を遮蔽するレール部材１４は、図１および図２に示すように、横（水平）方向に延びる平坦な下端面を有する露出部１７と、該露出部１７の背部に位置する内装部２３とを備えている。
【００２３】
前記ノーズ部１３の下面を構成する露出部１７には、吐出管４０に連通される注出口１８が設けられ、この注出口１８の周囲に上向きに窪む凹部１９が設けられている。また、このレール部材１４の両側部には、横方向である前後方向に向けて延びる第１スライドレール部２０および第２スライドレール部２１が設けられている。第１スライドレール部２０は、露出部１７の外周縁から下向きに突出する側壁部２０ａと、該側壁部２０ａの下端から内向きに突出する桟部２０ｂとを有する。第２スライドレール部２１は、第１スライドレール部２０の側壁部２０ａの下端より面一で下向きに突出する側壁部２１ａと、該側壁部２１ａの下端から内向きに突出する桟部２１ｂとを有する。そして、第１スライドレール部２０の側壁部２０ａは、第２スライドレール部２１の側壁部２１ａより内側に向けて厚肉に形成され、これにより第１スライドレール部２０の左右方向の幅が第２スライドレール部２１の左右方向の幅とは異なり、小さくなるように構成されている。また、露出部１７の背面側には、断面略半円形状をなすように下向きに突出する係合凸部２２が設けられている。
【００２４】
前記内装部２３は、胴体１１と肩体１２との間に内装され、胴体１１とネジ止めにより固定されるもので、該胴体１１の内面に沿った外壁面を有する膨出部２４が設けられている。この膨出部２４の一部には、吐出管４０を挿通する挿通孔２５が設けられている。
【００２５】
前記台座部２６は、図１に示すように、ガラス製のジャグ２７を着脱可能に載置するもので、上面には熱伝導性が良好な金属製の感熱部材２８が配設されている。また、この台座部２６の内部には、図３に示すように、保温用加熱手段である保温ヒータ２９が配設されるとともに、感熱部材２８を介してジャグ２７内の飲料温度を検出する保温用温度検出手段である保温温度センサ３０が配設されている。
【００２６】
図１に示すように、前記外装体の内部において、蓋体１６で閉塞される肩体１２の上端開口には、液体である水を貯留する上端開口のタンク３１が配設されている。このタンク３１の底には、図３に示すように、タンク３１内に貯留した水を沸騰および保温する容器用加熱手段であるヒータ３２が配設されるとともに、タンク３１内の湯温を検出する容器用温度検出手段である容器温度センサ３３が配設されている。
【００２７】
また、外装体とタンク３１との間には、該タンク３１内の水をノーズ部１３へ供給する供給手段としてスクリューポンプ３４が配設されている。このスクリューポンプ３４は、ケーシング３５の内部に配設したスクリュー３６を駆動手段であるモータ３７によって回転させるものである。ケーシング３５の吸引口には、上流側であるタンク３１の底に接続した吸水管３８が接続されている。この吸水管３８には、タンク３１内に貯留された水の残量検出手段として、水量に応じて変化する水圧によって検出する圧力センサ３９が分岐接続されている。また、スクリューポンプ３４の上端に位置するケーシング３５の供給口には、下流側であるノーズ部１３に配管される吐出管４０が接続されている。この吐出管４０の先端は、接続部材を介してノーズ部１３の注出口１８に接続されている。また、吐出管４０は、上向きに延びる中間部分が背面側に向けて湾曲され、タンク３１に略接触させることにより、内部の液体温度の降下を防止している。なお、符号４１は断熱部材である。
【００２８】
図１および図２に示すように、ノーズ部１３の下部には、飲料注出部材としてシャワーキャップ４２とフィルタカップ５２とが着脱可能に配設されている。
【００２９】
前記シャワーキャップ４２は、レール部材１４の第１スライドレール部２０に対して前方から着脱可能に装着するもので、略平板状をなし、その所定位置に下向きに窪む散水部４３を設けたものである。この散水部４３は、後述するフィルタカップ５２の貯留部５３の内径より小さい円形状のもので、その内部には、円環状をなす第１隔壁４４および第２隔壁４６が上向きに突設されている。第１隔壁４４は、後述するフィルタカップ５２内に略５カップ分の飲料を抽出するための原料を収容させた際の外径と略同一の内径を有し、その内側の底面には放射状に位置するように複数の散水孔４５が設けられている。第２隔壁４６は、フィルタカップ５２内に略１０カップ分の飲料を抽出するための原料を収容させた際の外径と略同一の内径を有し、第１隔壁４４との間の底面には、周方向に所定間隔をもって複数の散水孔４７が設けられている。なお、第１隔壁４４の全高は、第２隔壁４６の全高より低く、第１隔壁で囲繞された内部から溢れたお湯が第２隔壁４６との間に供給されるように構成している。また、第２隔壁４６の全高は、シャワーキャップ４２に付着の上面までは達しないように構成されている。さらに、第２隔壁４６と散水部４３の内周壁４３ａとの間は、散水孔４５，４７の部分的な目詰まりなどによって第２隔壁４６から溢れたお湯を受ける予備領域であり、その底には周方向に所定間隔をもって排水孔４８が設けられている。また、シャワーキャップ４２の先端には、レール部材１４の係合凸部２２に着脱可能に係合する係合凹部４９が下向きに窪むように設けられている。さらに、この係合凹部４９の逆側端部には、着脱操作用の把持縁部５０が下向きに突設されている。さらにまた、シャワーキャップ４２の外周縁には、第１スライドレール部２０の桟部２０ｂに載置される縁部５１が設けられている。この縁部５１は、前記把持縁部５０より全高が低く、この把持縁部５０の端部が第１スライドレール部２０に当接した状態で、係合凹部４９が係合凸部２２に係合するように構成している。そして、本実施形態では、このシャワーキャップ４２の左右方向の幅は、第２スライドレール部２１の幅、即ち、桟部２１ｂ，２１ｂ間の隙間より小さくしている。また、シャワーキャップ４２の前後方向の寸法は、ノーズ部１３の下部に正規位置に装着した状態で、その手前側縁である把持縁部５０の一部に、後述するフィルタカップ５２の被覆部６０が略当接する全長に設定されている。
【００３０】
前記フィルタカップ５２は、レール部材１４の第２スライドレール部２１に対して前方から着脱可能に装着するもので、略円錐筒状をなす貯留部５３を備えている。この貯留部５３の底は、その中心に向けて下向きに傾斜した閉鎖面とされ、その中心に抽出孔５４が設けられるとともに、その抽出孔５４から放射状に突出するようにリブが設けられている。この貯留部５３の上端縁には、第２スライドレール部２１の桟部２１ｂに載置される載置段部５５が外向きに突設されている。この載置段部５５は、平面視形状を前記シャワーキャップ４２より若干大きく形成することにより、該シャワーキャップ４２により貯留部５３の上端開口を閉塞する構成としている。また、載置段部５５の手前側には、着脱操作等の把持部５６が設けられている。この把持部５６は、載置段部５５の縁から下向きに突出する把持縁部５７と、該把持縁部５７と所定間隔をもって位置するリブ５８と、これら把持縁部５７からリブ５８を経て貯留部５３の外周面にかけて延びる側板部５９とを備えている。また、載置段部５５には、把持部５６に対して面一で上向きに延び、レール部材１４への装着状態でシャワーキャップ４２の前端である把持縁部５０を覆う被覆部６０が設けられている。さらに、載置段部５５の外周縁には、滴下されたお湯の漏出を防止するために外縁部６１が上向きに突設されている。この外縁部６１は、第１スライドレール部２０と第２スライドレール部２１との隙間と略同一の全高を有する高縁部６１ａと、差し込み作業性を考慮して全高を低くした先端側の低縁部６１ｂとを有する。
【００３１】
前記ノーズ部１３の内部には表示手段であるセグメント表示方式の液晶パネル６４と、設定や動作を指定する指示手段である複数のスイッチ７７〜８４とを実装した操作基板６２が配設され、その表面に操作パネル６３が設けられている。
【００３２】
図３に示すように、操作パネル６３の液晶パネル６４には、左側に圧力センサ３９によって検出したタンク３１内の残水量を段階的にレベル表示する残水量表示部６５が設けられるとともに、その下部に給水表示部６６が設けられている。また、上側には、むらし工程またはむらし設定時間を意味するむらし表示部６７が設けられるとともに、その右側に湯沸し予約状態であることを意味する湯沸し予約表示部６８が設けられている。さらに、これらの下部である中央には、水（湯）量や時間を示す４桁の数値表示部６９が設けられている。この数値表示部６９の下部には、表示した数値が抽出湯量であることを意味する抽出湯量表示部７０と、予約時間であることを意味する時間後表示部７１と、むらし時間であることを意味する秒表示部７２とが設けられている。そして、液晶パネル６４の下部には、スクリューポンプ３４の交換時期を意味するＰ表示部７３と、タンク３１の洗浄時期を意味するＳ表示部７４と、注出量を意味する５表示部７５および１０表示部７６が設けられている。
【００３３】
また、操作パネル６３の指示手段としては、液晶パネル６４の周囲に、湯沸し切／入スイッチ７７と、抽出切／入スイッチ７８と、コーヒー保温切／入スイッチ７９と、湯沸し予約スイッチ８０と、むらし時間スイッチ８１と、カップ数スイッチ８２と、抽出湯量スイッチ８３とが設けられている。
【００３４】
この飲料抽出装置は、本体１０において、底体１５の側面に配設したメインスイッチ８４をオン位置とすることにより、ノーズ部１３の内部に配設した制御基板８５のマイコン８６に電力が供給され、このマイコン８６によって、予め設定されたプログラムに従って制御される。なお、メインスイッチ８４の周囲には、上側および両側部を囲繞するように外向きに突出した防水リブ８７が設けられている。
【００３５】
前記マイコン８６による制御は、タンク３１内に貯留された水を加熱し、飲料抽出に最適な温度に温調する。また、指定された抽出湯量に従って所定量のお湯を注入して一旦停止し、所定時間むらし工程を実行する。また、このむらし工程が終了すると、所定量のお湯を断続的に注湯するドリップ工程を実行し、目的の飲料抽出を実行するものである。
【００３６】
一方、ユーザが飲料抽出原料であるコーヒー粉をセットまたは取り出す場合には、まず、フィルタカップ５２を手前に引っ張ることにより、第２スライドレール部２１に沿って引き出す。なお、フィルタカップ５２の引き出しは、第２スライドレール部２１から完全に取り外してもよいし、完全に取り外していない途中段階としてもよい。
【００３７】
そして、内部にフィルタを配置してその内部にコーヒー粉を収容させ、または、使用後のコーヒー粉が収容されたフィルタを取り出して廃棄する。この作業が終了すると、フィルタカップ５２を第２スライドレールに沿って背面側に向けて押し込み、ノーズ部１３の下部の所定位置に装着する。
【００３８】
また、Ｓ表示部７４の点灯により、または、ユーザまたはメンテナンス業者の意思により、シャワーキャップ４２を洗浄する場合には、まず、フィルタカップ５２を手前に引っ張ることにより、該フィルタカップ５２を完全に取り外す。これにより、露出したシャワーキャップ４２の把持縁部５０を把持し、同様に手前に引っ張り、第１スライドレール部２０に沿って引き出して、完全に取り外す。
【００３９】
この際、シャワーキャップ４２は、係合凹部４９とレール部材１４の係合凸部２２との係合により、これらの係合抵抗で、特にその係合が解除された際に、シャワーキャップ４２に振動が加わる。そのため、シャワーキャップ４２に注出したお湯が付着している場合には、その付着したお湯を滴下させ、ユーザまたは作業者に付着することを防止できる。
【００４０】
さらに、シャワーキャップ４２およびフィルタカップ５２を清浄し、再び本体１０に装着する場合には、まず、シャワーキャップ４２を第１スライドレール部２０に手前から差し込んだ後、フィルタカップ５２を第２スライドレール部２１に手前から差し込む。
【００４１】
この際、ユーザまたは作業者が、シャワーキャップ４２を第２スライドレール部２１に差し込むという誤装着をしようとした場合、各スライドレール部２０，２１の幅が異なり、しかも、シャワーキャップ４２の幅が第２スライドレール部２１の幅より小さいため、装着することはできない。また、シャワーキャップ４２を装着することなく、フィルタカップ５２を先に第１スライドレール部２０に差し込むという誤装着をしようとした場合、同様に、スライドレール部２０，２１の幅の違いにより装着することはできない。そのため、各スライドレール部２０，２１に対するシャワーキャップ４２およびフィルタカップ５２の誤装着を確実に防止できる。
【００４２】
なお、シャワーキャップ４２の装着時には、第１スライドレール部２０に沿った差し込み時に、その先端がレール部材１４の係合凸部２２に当接すると、一時的に差し込みが止められる。この状態で、ユーザまたは作業者は、シャワーキャップ４２を押圧することにより、係合凸部２２を乗り越えさせて、該係合凸部２２を係合凹部４９に係合させることができる。そして、この際には、ユーザまたは作業者に対して節度感を与えることができるため、確実に装着状態を認識できる。しかも、係合凸部２２と係合凹部４９との係合により、シャワーキャップ４２の装着状態を確実に維持できる。
【００４３】
一方、ユーザまたは作業者が、シャワーキャップ４２をノーズ部１３の下部に不完全な状態で装着している場合、即ち、係合凸部２２と係合凹部４９とが係合していない場合には、後のフィルタカップ５２の装着により、その被覆部６０がシャワーキャップ４２の縁に当接する。そして、フィルタカップ５２を正規位置まで完全に差し込むことにより、シャワーキャップ４２を連動させ、係合凸部２２と係合凹部４９とを係合させた正規位置に確実に装着することができる。
【００４４】
このように、本発明の飲料抽出装置では、スライドレール部２０，２１に対してシャワーキャップ４２およびフィルタカップ５２を横方向からスライドさせて取り外しおよび装着するため、ワンアクションで簡単かつ確実に着脱作業を行うことができる。そのうえ、お湯の給水位置に手を挿入する必要がないため、安全性を確保できる。しかも、装着状態では、フィルタカップ５２の被覆部６０でシャワーキャップ４２を覆い隠すため、製品の外観を向上できる。
【００４５】
また、飲料の抽出時には、シャワーキャップ４２をフィルタカップ５２の上端開口を覆う構成としているため、該フィルタカップ５２に対して均一な給水を行うことができる。しかも、フィルタカップ５２内の温度降下を抑制できるうえ、下部のフィルタカップ５２に注出されたお湯の湯気がノーズ部１３の下面に付着して汚すことを防止できる。さらに、ノーズ部１３において注出口１８の周囲に凹部１９を設けているため、シャワーキャップ４２とノーズ部１３との間からのお湯の漏出を防止できる。しかも、万が一お湯がシャワーキャップ４２とノーズ部１３との間に浸入しても、フィルタカップ５２の被覆部６０により遮断し、前面から漏出することを確実に防止できる。
【００４６】
なお、本発明の飲料抽出装置は、前記実施形態の構成に限定されるものではなく、種々の変更が可能である。
【００４７】
例えば、前記実施形態では、第１スライドレール部２０と第２スライドレール部２１とを、同一の前後方向に延びるように設けたが、左右方向に延びるようにしてもよいうえ、各スライドレール部２０，２１を異なる方向に延びるように構成してもよい。
【００４８】
また、前記実施形態では、第１スライドレール部２０の幅を第２スライドレール部２１の幅より小さくし、かつ、シャワーキャップ４２の幅も第２スライドレール部２１の幅より小さくしたが、これらの寸法設定は希望に応じて変更が可能である。
【図面の簡単な説明】
【００４９】
【図１】本発明の実施形態に係る飲料抽出装置を示す部分断面図である。
【図２】レール部材、シャワーキャップおよびフィルタカップを示す分解斜視図である。
【図３】飲料抽出装置の操作パネルを含むブロック図である。
【符号の説明】
【００５０】
１０…本体
１１…胴体（外装体）
１２…肩体（外装体）
１３…ノーズ部
１４…レール部材
１５…底体（外装体）
１６…蓋体
１８…注出口
１９…凹部
２０…第１スライドレール部
２１…第２スライドレール部
２２…係合凸部
３１…タンク
３２…ヒータ（加熱手段）
３４…スクリューポンプ（給水手段）
４０…吐出管
４２…シャワーキャップ
４９…係合凹部
５２…フィルタカップ
６０…被覆部
【図１】
2008113877.tif 000003
【図２】
2008113877.tif 000004
【図３】
2008113877.tif 000005